(57)【要約】【課題】水没時に、誤動作やウィンドウの上昇動作を防止しつつ、ウィンドウの下降動作を確保できるパワーウィンドウ装置を提供する。【解決手段】パワーウィンドウ装置１００は、下降スイッチＳＷ１及び上昇スイッチＳＷ３、ＳＷ４のそれぞれが操作されたときにそれぞれ異なる電圧値を有する操作信号を第１信号線Ｌ１を介して出力し、下降スイッチＳＷ２が操作されたときにさらに異なる電圧値を有する操作信号を第２信号線Ｌ２を介して出力し、スイッチ水没検出回路１１により水没を検出したときにさらに異なる電圧値を有するスイッチ水没検出信号を出力するスイッチ装置１０と、入力された操作信号の電圧値に基づき、ウィンドウガラスを下降動作及び上昇動作させる制御を行う制御装置２０とを有する。制御装置２０は、スイッチ水没検出信号が一旦入力された後は正常時制御を行わず、第２信号線Ｌ２から信号が入力されたときに、ウィンドウを下降動作させる。【選択図】図１
2019015115.tif 000002
【特許請求の範囲】
【請求項１】
車両のウィンドウガラスを下降動作および上昇動作させるためのパワーウィンドウ装置であって、
手動操作または自動操作で、前記ウィンドウガラスを下降動作させるための１以上の下降スイッチと前記ウィンドウガラスを上昇動作させるための１以上の上昇スイッチとを備え、前記下降スイッチが操作されたときと前記上昇スイッチが操作されたときとで異なる電圧値を有する操作信号を出力するスイッチ装置と、
前記スイッチ装置と別体に構成され、前記スイッチ装置と第１信号線および第２信号線により接続された制御装置であって、この制御装置は、前記第１信号線または前記第２信号線を介して前記スイッチ装置から前記操作信号が入力されて、この操作信号の電圧値に基づき、前記ウィンドウガラスを下降動作および上昇動作させるための駆動モータを制御する前記制御装置と、を備え、
前記スイッチ装置は、更に、
一の前記下降スイッチが操作されたときに第１電圧値を有する前記操作信号を前記第１信号線に出力し、且つ、前記上昇スイッチが操作されたときに前記第１電圧値とは異なる第２電圧値を有する前記操作信号を前記第１信号線に出力する第１スイッチ入力回路と、
自身内部への水の浸入を検出したときに前記第１電圧値および第２電圧値とは異なる第３電圧値を有するスイッチ水没検出信号を前記第１信号線に出力するスイッチ水没検出回路と、
他の前記下降スイッチが手動操作で下降動作するように操作されたときに前記第１電圧値および第２電圧値および第３電圧値とは異なる第４電圧値を有する所定信号を前記第２信号線に出力する第２スイッチ入力回路と、
を備え、
前記制御装置は、更に、
前記スイッチ装置の前記第１スイッチ入力回路から前記操作信号が入力されたときに、この操作信号が有する電圧値に応じて前記ウィンドウガラスを下降動作又は上昇動作させるように前記駆動モータを駆動する正常時制御を行い、且つ、前記スイッチ装置の前記スイッチ水没検出回路から前記スイッチ水没検出信号が一旦入力された後は、前記正常時制御を行わない制御回路と、
前記スイッチ装置の前記第２スイッチ入力回路から前記所定信号が入力されたときに、正常時、水没検出時に拘らず、前記ウィンドウガラスを下降動作させるように前記駆動モータを駆動する強制駆動回路と、を備える、
ことを特徴とするパワーウィンドウ装置。
【請求項２】
前記スイッチ装置の前記第１スイッチ入力回路は、前記一の下降スイッチが操作されたときに、第１抵抗値を有する第１回路を形成して、前記第１電圧値を有する前記操作信号を出力するよう構成され、且つ、前記上昇スイッチが操作されたときに、前記第１抵抗値とは異なる第２抵抗値を有する第２回路を形成して、前記第２電圧値を有する前記操作信号を出力するよう構成され、
前記スイッチ装置の前記スイッチ水没検出回路は、自身内部に水が浸入したときに、前記第１抵抗値および第２抵抗値とは異なる第３抵抗値を有する第３回路を形成して、前記第３電圧値を有する前記スイッチ水没検出信号を出力するよう構成され、
前記スイッチ装置の前記第２スイッチ入力回路は、前記他の下降スイッチが操作されたときに、前記第１抵抗値および第２抵抗値および第３抵抗値とは異なる第４抵抗値を有する第４回路を形成して、前記第４電圧値を有する前記所定信号を出力するように構成され、
前記スイッチ装置の前記第１スイッチ入力回路および前記スイッチ水没検出回路および前記第２スイッチ入力回路の構成により、前記第３電圧値は、前記第１電圧値および前記第２電圧値より小さく、前記第４電圧値は、前記第３電圧値より小さい、
ことを特徴とする請求項１に記載のパワーウィンドウ装置。
【請求項３】
前記制御装置は、更に、自身内部への水の浸入を検出する制御装置水没検出回路を備え、
前記制御装置の前記制御回路は、前記制御装置水没検出回路が水の浸入を検出したときにも、制御装置水没検出信号を前記強制駆動回路に出力する、
ことと特徴とする請求項１乃至２のいずれかに記載のパワーウィンドウ装置。
【発明の詳細な説明】
【技術分野】
【０００１】
本発明は、パワーウィンドウ装置に係わり、特に、車両のウィンドウガラスを下降動作および上昇動作させて開閉するためのパワーウィンドウ装置に関する。
【背景技術】
【０００２】
駆動モータ（電動モータ）により車両のウィンドウを開閉するパワーウィンドウ装置においては、操作スイッチの操作状況に応じて、モータを正転または逆転させ、ウィンドウの開閉を行うようにしている。例えば、操作スイッチを上昇側に操作すると、モータが正転してウィンドウが閉じ、操作スイッチを下降側に操作すると、モータが逆転してウィンドウが開くようになっている。モータの正転と逆転の制御は、操作スイッチからの操作信号に基づき、モータ駆動回路においてモータに流れる電流の方向を切り替えることにより行われる。
【０００３】
例えば、特許文献１には、操作スイッチなどを備えるスイッチ装置（スイッチ部）と、スイッチ装置内の操作スイッチの操作に基づき、ウィンドウを駆動するモータを制御する制御装置（モータＥＣＵ部）とが別体に構成されたパワーウィンドウ装置が開示されている。このようにスイッチ装置と制御装置とを別体に構成すると、装置が故障したときに（特にスイッチ装置が故障する傾向にある）、装置全体を交換せずに、スイッチ装置および制御装置を別々に交換すればよいので、修理コストを低減することができる。
【０００４】
他方で、パワーウィンドウ装置では、装置が被水した場合に、誤動作などを防止できるようにすることが望ましい。この点、特許文献１に記載されたパワーウィンドウ装置では、制御装置に防水対策を施し、且つ、被水時に操作者の意図に反してウィンドウが上昇又は下降されるのを防止するように対策を施すことで、装置の被水に対処している。
【先行技術文献】
【特許文献】
【０００５】
【特許文献１】特開２００４−３３９７０８号公報
【発明の概要】
【発明が解決しようとする課題】
【０００６】
ところで、パワーウィンドウ装置では、特に車両が水没したときに、装置の誤動作やウィンドウの上昇動作を防止しつつ、乗員が車両から脱出できるようにすべく、ウィンドウの下降動作を確保できるように対策を施すことが望ましい。上記の特許文献１に記載されたパワーウィンドウ装置のようにスイッチ装置と制御装置とが別体に構成されていると、このようなウィンドウの下降動作を確保するための対策を、スイッチ装置および制御装置の両方に施す必要がある。特許文献１に記載されたパワーウィンドウ装置では、制御装置に防水対策を施しているが、完全に防水することが難しいことから、信頼性の点で課題がある。つまり、防水しきれずに水が浸入した場合に、ウィンドウの下降動作が確保されない可能性がある。また、制御装置の防水対策を強化しようとすると、コストが高くなってしまう。
【０００７】
本発明は、上述した従来技術の問題点を解決するためになされたものであり、スイッチ装置と制御装置とが別体に構成されたパワーウィンドウ装置において、制御装置に特別な防水対策を施さなくても、水没したときに、装置の誤動作やウィンドウの上昇動作を防止しつつ、ウィンドウの下降動作を適切に確保することを目的とする。
【課題を解決するための手段】
【０００８】
上記課題を解決するために、車両のウィンドウガラスを下降動作および上昇動作させるためのパワーウィンドウ装置であって、手動操作または自動操作で、ウィンドウガラスを下降動作させるための１以上の下降スイッチとウィンドウガラスを上昇動作させるための１以上の上昇スイッチとを備え、下降スイッチが操作されたときと上昇スイッチが操作されたときとで異なる電圧値を有する操作信号を出力するスイッチ装置と、スイッチ装置と別体に構成され、スイッチ装置と第１信号線および第２信号線により接続された制御装置であって、この制御装置は、第１信号線または第２信号線を介してスイッチ装置から操作信号が入力されて、この操作信号の電圧値に基づき、ウィンドウガラスを下降動作および上昇動作させるための駆動モータを制御する前記制御装置と、を備え、スイッチ装置は、更に、一の下降スイッチが操作されたときに第１電圧値を有する操作信号を第１信号線に出力し、且つ、上昇スイッチが操作されたときに第１電圧値とは異なる第２電圧値を有する操作信号を第１信号線に出力する第１スイッチ入力回路と、自身内部への水の浸入を検出したときに第１電圧値および第２電圧値とは異なる第３電圧値を有するスイッチ水没検出信号を第１信号線に出力するスイッチ水没検出回路と、他の下降スイッチが手動操作で下降動作するように操作されたときに第１電圧値および第２電圧値および第３電圧値とは異なる第４電圧値を有する所定信号を第２信号線に出力する第２スイッチ入力回路と、を備え、制御装置は、更に、スイッチ装置の第１スイッチ入力回路から操作信号が入力されたときに、この操作信号が有する電圧値に応じてウィンドウガラスを下降動作又は上昇動作させるように駆動モータを駆動する正常時制御を行い、且つ、スイッチ装置のスイッチ水没検出回路からスイッチ水没検出信号が一旦入力された後は、正常時制御を行わない制御回路と、スイッチ装置の第２スイッチ入力回路から所定信号が入力されたときに、正常時、水没検出時に拘らず、ウィンドウガラスを下降動作させるように駆動モータを駆動する強制駆動回路と、を備えることを特徴とするパワーウィンドウ装置が提供される。
これによれば、制御装置に特別な防水対策を施さなくても、水没したときに、装置の誤動作やウィンドウの上昇動作を防止しつつ、ウィンドウの下降動作を適切に確保することができる。
【０００９】
さらに、スイッチ装置の第１スイッチ入力回路は、一の下降スイッチが操作されたときに、第１抵抗値を有する第１回路を形成して、第１電圧値を有する操作信号を出力するよう構成され、且つ、上昇スイッチが操作されたときに、第１抵抗値とは異なる第２抵抗値を有する第２回路を形成して、第２電圧値を有する操作信号を出力するよう構成され、スイッチ装置のスイッチ水没検出回路は、自身内部に水が浸入したときに、第１および第２抵抗値とは異なる第３抵抗値を有する第３回路を形成して、第３電圧値を有するスイッチ水没検出信号を出力するよう構成され、スイッチ装置の第２スイッチ入力回路は、他の下降スイッチが操作されたときに、第１抵抗値および第２抵抗値および第３抵抗値とは異なる第４抵抗値を有する第４回路を形成して、第４電圧値を有する所定信号を出力するように構成され、スイッチ装置の第１スイッチ入力回路およびスイッチ水没検出回路および第２スイッチ入力回路の構成により、第３電圧値は、第１電圧値および第２電圧値より小さく、第４電圧値は、第３電圧値より小さいことを特徴としてもよい。
これによれば、第１スイッチ入力回路におけるスイッチが操作されたときに出力される信号の電圧値と、水没検出回路が水の浸入を検出したときに出力されるスイッチ水没検出信号の電圧値と、第２スイッチ入力回路におけるスイッチが操作されたときに出力される信号の電圧値とが異なるようにスイッチ装置を回路構成しているので、制御装置側でスイッチ装置の水没を適切に判別することができる。
【００１０】
さらに、制御装置は、更に、自身内部への水の浸入を検出する制御装置水没検出回路を備え、制御装置の制御回路は、制御装置水没検出回路が水の浸入を検出したときにも、制御装置水没検出信号を強制駆動回路に出力することを特徴としてもよい。
これによれば、スイッチ装置だけでなく、制御装置にも水没検出回路を設けているので、スイッチ装置および制御装置のどちらが先に水没しても、各々の水没を適切に検出することができる。よって、スイッチ装置および制御装置のどちらが先に水没しても、装置の誤動作やウィンドウの上昇動作を防止しつつ、ウィンドウの下降動作を適切に確保することができる。
【発明の効果】
【００１１】
本発明によれば、スイッチ装置と制御装置とが別体に構成されたパワーウィンドウ装置において、制御装置に特別な防水対策を施さなくても、水没したときに、装置の誤動作やウィンドウの上昇動作を防止しつつ、ウィンドウの下降動作を適切に確保することができる。
【図面の簡単な説明】
【００１２】
【図１】本発明の第１実施形態によるパワーウィンドウ装置の回路図である。
【図２】本発明の第１実施形態によるパワーウィンドウ装置のスイッチ装置が先に水没したときの回路状態を示す図である。
【図３】本発明の第１実施形態によるパワーウィンドウ装置の制御装置が先に水没したときの回路状態を示す図である。
【発明を実施するための形態】
【００１３】
以下、添付図面を参照して、本発明の実施形態によるパワーウィンドウ装置について説明する。
【００１４】
＜第１実施形態＞
図１を参照して、本実施形態によるパワーウィンドウ装置１００ついて説明する。パワーウィンドウ装置１００は、車両に備えられ、車両のウィンドウガラスを下降動作および上昇動作させて開閉するための装置である。パワーウィンドウ装置１００は、複数のスイッチＳＷ１〜ＳＷ４を備えるスイッチ装置１０と、スイッチ装置１０と別体に構成され、第１信号線Ｌ１、第２信号線Ｌ２およびグランド線ＧＬによりスイッチ装置１０と接続された制御装置２０と、制御装置２０により制御されて、車両のウィンドウ（不図示）を下降動作および上昇動作させる駆動モータ３０と、を有する。
【００１５】
スイッチ装置１０は、一度オンするとウィンドウガラスを自動で下降動作させる（換言すると一の操作でウィンドウガラスを一気に下降動作させる。本発明における自動操作の一例に相当する。）ためのスイッチＳＷ１と、手動でオンさせている間だけウィンドウガラスを下降動作させる（換言するとウィンドウを段階的に下降動作させる。本発明における手動操作の一例に相当する。）ためのスイッチＳＷ２と、一度オンするとウィンドウガラスを自動で上昇動作させる（換言すると一の操作でウィンドウを一気に上昇動作させる。本発明における自動操作の一例に相当する。）ためのスイッチＳＷ３と、手動でオンさせている間だけウィンドウガラスを上昇動作させる（換言するとウィンドウを段階的に上昇動作させる。本発明における手動操作の一例に相当する。）ためのスイッチＳＷ４と、を有する。スイッチＳＷ１、ＳＷ２は、本発明における下降スイッチの一例に相当し、スイッチＳＷ３、ＳＷ４は、本発明における上昇スイッチの一例に相当する。
【００１６】
スイッチＳＷ１は、一端が抵抗Ｒ１１と抵抗Ｒ１２を介して第１信号線Ｌ１に接続され、且つ、他端がグランド線ＧＬを介してグランドに接続されている。スイッチＳＷ２は、一端が第２信号線Ｌ２に直接接続され、且つ、他端がグランド線ＧＬを介してグランドに接続されている。スイッチＳＷ３は、一端が抵抗Ｒ１１、抵抗Ｒ１２、抵抗Ｒ１３を介して第１信号線Ｌ１に接続され、且つ、他端がグランド線ＧＬを介してグランドに接続されている。スイッチＳＷ４は、一端が抵抗Ｒ１１、抵抗Ｒ１２、抵抗Ｒ１３、抵抗Ｒ１４を介して第１信号線Ｌ１に接続され、且つ、他端がグランド線ＧＬを介してグランドに接続されている。
【００１７】
このように、並列に設けたスイッチＳＷ１、ＳＷ３、ＳＷ４間に抵抗Ｒ１１〜Ｒ１４を設けることで、スイッチＳＷ１、ＳＷ３、ＳＷ４のそれぞれがオンになったときに形成される回路の抵抗値が変わる。具体的には、スイッチＳＷ１をオンにしたときには抵抗Ｒ１１と抵抗Ｒ１２を含むが抵抗Ｒ１３と抵抗Ｒ１４を含まない回路（本発明における第１回路の一例に相当する）が形成され、スイッチＳＷ３をオンにしたときには抵抗Ｒ１１〜抵抗Ｒ１３を含む回路（本発明における第２回路の一例に相当する）が形成され、スイッチＳＷ４をオンにしたときには抵抗Ｒ１１〜抵抗Ｒ１４を含む回路（本発明における第２回路の一例に相当する）が形成される。これにより、スイッチＳＷ１、ＳＷ３、ＳＷ４のそれぞれがオンになったときに、第１信号線Ｌ１における電位、つまり第１信号線Ｌ１を介して制御装置２０へと出力される操作信号の電圧値が変わる。
【００１８】
また、スイッチＳＷ２の一端は抵抗を介さずに直接第２信号線Ｌ２に接続されているので、電圧降下が生じない操作信号の電圧値が第２信号線Ｌ２に伝えられ、スイッチＳＷ２の他端はグランドに接地されているので（本発明における第４回路の一例に相当する）、ほぼゼロの電圧値が第２信号線Ｌ２に伝えられる。ここで、スイッチＳＷ１〜ＳＷ４のそれぞれがオンとなったときに制御装置２０へと出力される操作信号の電圧値をＶ１〜Ｖ４と表記すると、第１信号線Ｌ１と第２信号線Ｌ２の制御装置２０側では同じ電圧値をかけているとすると、これら電圧値Ｖ１〜Ｖ４の関係は、Ｖ２＜＜Ｖ１＜Ｖ３＜Ｖ４となる。電圧値Ｖ１は、本発明における第１電圧値の一例に相当し、電圧値Ｖ３、Ｖ４は、本発明における第２電圧値の一例に相当し、電圧値Ｖ２は、本発明における第４電圧値の一例に相当する。また、スイッチＳＷ１、ＳＷ３、ＳＷ４および抵抗Ｒ１１〜Ｒ１４は、本発明における第１スイッチ入力回路の一例に相当し、スイッチＳＷ２は、第２スイッチ入力回路の一例に相当する。
【００１９】
さらに、スイッチ装置１０は、自身内部への水の浸入を検出可能に構成されたスイッチ水没検出回路１１を有する。スイッチ水没検出回路１１は、２つの離間したパッド（導体としての２つの電極に相当する）を備えており、内部に水が浸入したときに２つのパッド間に水が満たされて、この水を介して電流が流れることで、自身内部への水の浸入（スイッチ装置１０の水没に相当する）を検出できるようになっている。スイッチ水没検出回路１１は、一端がグランドに接続され、且つ、他端が抵抗Ｒ１５を介してトランジスタＴＲ１のベースに接続され、このトランジスタＴＲ１のエミッタは、第１信号線Ｌ１に接続されている。
【００２０】
また、トランジスタＴＲ１のベースとエミッタとの間には、抵抗Ｒ１６がさらに接続されている。そして、トランジスタＴＲ１のコレクタは、抵抗Ｒ１７を介してトランジスタＴＲ２のベースに接続され、このトランジスタＴＲ２のエミッタは、抵抗Ｒ１１と抵抗Ｒ１２との間に接続されている。加えて、トランジスタＴＲ２のコレクタは、グランド線ＧＬを介してグランドに接続され、トランジスタＴＲ２のベースとエミッタとの間には、抵抗Ｒ１８が更に接続されている。また、スイッチ水没検出回路１１の他端は、さらにコンデンサＣ１の一端に接続されており、コンデンサＣ１の他端は第１信号線Ｌ１に接続されている。
【００２１】
このような回路構成により、スイッチ水没検出回路１１が水の浸入を検出したとき、つまりスイッチ水没検出回路１１内に浸入した水により２つのパッドが導通したとき、トランジスタＴＲ１がオンとなり、それによりトランジスタＴＲ２もオンとなる。その結果、抵抗Ｒ１１と抵抗Ｒ１２との間がグランドに接続されることとなる。これは、スイッチＳＷ１〜ＳＷ４および抵抗Ｒ１２、抵抗Ｒ１３、抵抗Ｒ１４をバイパスし、抵抗Ｒ１１のみを含む回路が形成されたことになる（本発明における第３回路の一例に相当する）。したがって、トランジスタＴＲ２がオンになったときにスイッチ装置１０から第１信号線Ｌ１を介して制御装置２０へと出力される信号（スイッチ水没検出信号）の電圧値をＶ５とすると、この電圧値Ｖ５と上記した電圧値Ｖ１〜Ｖ４との関係は、Ｖ２＜＜Ｖ５＜Ｖ１＜Ｖ３＜Ｖ４となる。なお、電圧値Ｖ５は、本発明における第３電圧値の一例に相当する。
【００２２】
次いで、制御装置２０は、第１信号線Ｌ１または第２信号線Ｌ２を介してスイッチ装置１０から操作信号が入力され、操作信号の電圧値に基づき、ウィンドウガラスを下降動作および上昇動作させるよう制御を行う制御回路２２と、制御回路２２による制御のもとで駆動モータ３０を駆動するモータ駆動回路２３と、一端をグランドに他端をコンデンサＣ２を介して電源Ｂに接続され、自身内部への水の浸入を検出可能に構成された制御装置水没検出回路２１と、コンデンサＣ２と制御装置水没検出回路２１の間の接続点および制御回路２２に入力側を接続されたＡＮＤ等価回路２４と、ＡＮＤ等価回路２４の出力側と抵抗Ｒ２２を介してベースを接続され、電源Ｂにエミッタを接続されたトランジスタＴＲ４と、トランジスタＴＲ４のコレクタと抵抗Ｒ２８を介してベースを接続され、制御回路２２とモータ駆動回路２３を結ぶ配線Ｌとエミッタを接続され、且つ第２信号線Ｌ２と制御回路２２の間にコレクタを接続されたトランジスタＴＲ５と、を有する。
【００２３】
制御回路２２と第１信号線Ｌ１との間には抵抗Ｒ２１を介して電源Ｂ（例えば５Ｖ又は１２Ｖ）が接続され、また、制御回路２２と第２信号線Ｌ２との間には抵抗Ｒ２７を介して電源Ｂが接続されている。制御装置水没検出回路２１は、上記したスイッチ水没検出回路１１と同様の構成を有しており、自身内部への水の浸入（制御装置２０の水没に相当する）を検出できるようになっている。スイッチＳＷ２に直接接続された第２信号線Ｌ２を監視することで（たとえば、第２信号線Ｌ２とグランドとの間にリーク抵抗（図示せず）を設けることで）、第２信号線Ｌ２と、車両のボディアースやグランド線ＧＬなどのグランドとのリークを検知し、後述するようにスイッチ装置１０の水没を検知する。制御回路２２とモータ駆動回路２３とは、抵抗Ｒ２５と抵抗Ｒ９が設けられた配線Ｌにより接続されている。配線Ｌは、抵抗Ｒ２６を介してグランドに接続されている。
【００２４】
制御回路２２は、通常時（スイッチ装置１０又は制御装置２０が水没していない状況を意味する。以下同様とする。）においては、スイッチ装置１０から第１信号線Ｌ１を介して入力された操作信号の電圧値がＶ３又はＶ４である場合、つまりウィンドウを上昇動作させるためのスイッチＳＷ３又はＳＷ４が操作された場合、配線Ｌを介して、ウィンドウを上昇動作させるための信号をモータ駆動回路２３に出力する。このときに、モータ駆動回路２３は、ウィンドウを上昇動作させるように駆動モータ３０を駆動する。具体的には、モータ駆動回路２３は、制御回路２２に入力された操作信号の電圧値の大きさ（Ｖ３又はＶ４）に応じた態様にて、すなわち、操作信号の電圧値がＶ３の場合は一度オンするとウィンドウを自動で上昇動作させ、操作信号の電圧値がＶ４の場合は手動でオンさせている間だけウィンドウを上昇動作させるように駆動モータ３０を駆動する。
【００２５】
また、制御回路２２は、通常時において、スイッチ装置１０から入力された操作信号の電圧値が、第１信号線Ｌ１を通してＶ１である場合、または、第２信号線Ｌ２を通してＶ２である場合、つまりウィンドウを下降動作させるためのスイッチＳＷ１又はＳＷ２が操作された場合、配線Ｌを介して、ウィンドウを下降動作させるための信号をモータ駆動回路２３に出力する。このときに、モータ駆動回路２３は、ウィンドウを下降動作させるように駆動モータ３０を駆動する。具体的には、モータ駆動回路２３は、制御回路２２に入力された操作信号の電圧値の大きさ（Ｖ１又はＶ２）に応じた態様にて、すなわち、操作信号の電圧値がＶ１の場合は一度オンするとウィンドウを自動で下昇動作させ、操作信号の電圧値がＶ２の場合は手動でオンさせている間だけウィンドウを下昇動作させるように駆動モータ３０を駆動する。
【００２６】
他方で、制御装置水没検出回路２１は、一端がグランドに接続され、他端がＡＮＤ等価回路２４の一の入力に接続されている。ＡＮＤ等価回路２４の他の入力は、制御回路２２の端子Ｔ１に接続されている。なお、制御回路２２は、第１信号線Ｌ１からＶ５の電圧値が入力された場合、すなわちスイッチ装置１０が水没したことを示すスイッチ水没検出信号が入力された場合、端子Ｔ１に“Ｌ”を出力するように構成されている。ＡＮＤ等価回路２４の出力は、抵抗Ｒ２２を介してトランジスタＴＲ４のベースに接続されている。また、ＡＮＤ等価回路２４の一の入力は、コンデンサＣ２の一端に接続されている。トランジスタＴＲ４のエミッタは、電源Ｂに接続されている。
【００２７】
トランジスタＴＲ４のベースとエミッタとの間にある抵抗Ｒ２３、コンデンサＣ２の他端およびトランジスタＴＲ４のエミッタは、電源Ｂにおよび抵抗Ｒ２１を介して第１信号線Ｌ１に接続されている。さらに、トランジスタＴＲ４のコレクタは、抵抗Ｒ２４とダイオードＤ１を介して配線Ｌに接続され、さらに抵抗Ｒ９を介してモータ駆動回路２３に接続されている。加えて、トランジスタＴＲ４のコレクタは、抵抗Ｒ２４とダイオードＤ１を介して配線Ｌに接続され、さらに抵抗Ｒ２５を介して制御回路２２に接続されている（この抵抗Ｒ２５はさらに抵抗Ｒ２６を介してグランドに接続されている）。さらに、トランジスタＴＲ４のコレクタは、トランジスタＴＲ５のベースに接続されている。トランジスタＴＲ５のエミッタは、抵抗Ｒ２５と抵抗Ｒ９の間の配線Ｌに接続され、トランジスタＴＲ５のコレクタは、ダイオードＤ２を介して制御回路２２と第２信号線Ｌ２の間に接続されている。また、トランジスタＴＲ５のベースとエミッタとの間には、抵抗Ｒ２９がさらに接続されている。
【００２８】
制御回路２２は、スイッチ装置１０から電圧値Ｖ５を有するスイッチ水没検出信号が第１信号線Ｌ１を経由して入力されたとき、つまりスイッチ装置１０のスイッチ水没検出回路１１が水の浸入を検出したとき端子Ｔ１からスイッチ水没検出信号（“Ｌ”）を出力する。したがって、ＡＮＤ等価回路２４には“Ｌ”が入力される。制御回路２２は、スイッチ装置１０から電圧値Ｖ５を有するスイッチ水没検出信号が一旦入力されると、その後にスイッチ装置１０から電圧値Ｖ１、Ｖ３、Ｖ４を有する操作信号が入力されても、上記したような通常時での操作信号に応じた制御（正常時制御）を行わないようにする。一方、制御回路２２は、スイッチ装置１０のスイッチ水没検出信号を検出しない場合はスイッチ水没検出信号を出力せず、“Ｈ”を出力し続ける。したがって、ＡＮＤ等価回路２４には“Ｈ”が入力される。また、制御回路２２は、自身が水没して機能しなくなった場合は、当然“Ｈ”を出力することができないので、ゼロ（“Ｌ”）を出力することになる。
【００２９】
また、制御装置水没検出回路２１は、制御装置２０の内部への水の浸入を検出したときグランドと導通するので、ＡＮＤ等価回路２４のもう一方の入力に“Ｌ”が入力される（制御装置水没検出信号）。一方、制御装置水没検出回路２１が制御装置２０の内部への水の浸入を検出しない場合はＡＮＤ等価回路２４の入力には“Ｈ”が入力される。したがって、ＡＮＤ等価回路２４は、スイッチ水没検出信号および制御装置水没検出信号のいずれかまたは両方が入力された場合には“Ｌ”が出力され、いずれも入力されない場合すなわち通常時には“Ｈ”を出力する。その結果、通常時にはトランジスタＴＲ４はオフとなり、それに伴いトランジスタＴＲ５もオフとなり、スイッチ装置１０から第１信号線Ｌ１を介して電圧値Ｖ１、Ｖ３、Ｖ４を有する操作信号または第２信号線Ｌ２を介して電圧値Ｖ２を有する操作信号が入力されると、制御装置２０は、配線Ｌを介して、操作信号の電圧値の大きさ（Ｖ１〜Ｖ４）に応じた態様にて駆動モータ３０を制御する。なお、電圧値Ｖ２を有する操作信号は、本発明における所定信号の一例に相当する。
【００３０】
一方、スイッチ装置１０と制御装置２０のいずれかまたは両方において水の侵入を検出した場合、トランジスタＴＲ４はオンとなり、それに伴いトランジスタＴＲ５もオンとなる。この場合において、スイッチ装置１０が機能していて、第１信号線Ｌ１を介して電圧値がＶ１、Ｖ３、Ｖ４の操作信号が入力されても、制御回路２２が機能していないのでモータ駆動回路２３は、駆動モータ３０を駆動することはない。また、スイッチＳＷ２がオフのままである場合には、制御回路２２には、抵抗Ｒ２７を介した電源Ｂの電圧値Ｖ６を供給される。電圧値Ｖ６は、スイッチ装置１０からの最も高い電圧値であるＶ４よりも、高い電圧値として（Ｖ４＜Ｖ６）提供されるように、抵抗Ｒ２７は調整されている。一方、この場合において、スイッチＳＷ２がオンされるとほぼゼロに近い電圧値Ｖ２が直接モータ駆動回路２３に入力される。換言すれば、スイッチＳＷ２の物理的動作のみにより、モータ駆動回路２３へは接地レベルの電圧が与えられる。その結果、モータ駆動回路２３は、スイッチＳＷ２の手動操作により駆動モータ３０を下降動作させるように駆動する。
【００３１】
第２信号線Ｌ２の電位に着目すれば、水没していない時であってスイッチＳＷ２がオフである場合には電圧値Ｖ６という最も高い電圧値であり、水没していない時であってスイッチＳＷ２がオンである場合にはほぼゼロに近い電池値Ｖ２という最も高い電圧値である。一方、水没している時であってスイッチＳＷ２がオフの場合、第２信号線Ｌ２の電位は、抵抗Ｒ２７だけ降下した電圧値（上述のリーク抵抗がある場合にはＲ２７とリーク抵抗の分圧）となるため、水没していない時には取りえない電圧になったことを検知し、水没と判断する。
【００３２】
このように、本実施例に係るパワーウィンドウ装置１００は、スイッチ装置１０や制御装置２０が水没した状態であっても、制御回路２２において電圧値Ｖ６と電圧値Ｖ２を入力可能に構成されており、制御回路２２は、電圧値Ｖ６が入力されるとスイッチＳＷ２がオフ状態、電圧値Ｖ２が入力されるとスイッチＳＷ２がオン状態であるとするようにモータ駆動回路２３を制御する。また、制御回路２２が水没により機能しなくなった場合においても、電圧値Ｖ２はモータ駆動回路２３へ入力される。なお、ＡＮＤ等価回路２４、トランジスタＴＲ４、トランジスタＴＲ５は、本発明における強制駆動回路の一例に相当する。
【００３３】
上述したように構成された本実施形態におけるパワーウィンドウ装置１００において、制御装置２０が、スイッチ装置１０のスイッチ水没検出回路１１からスイッチ水没検出信号が入力されたときに、スイッチ装置１０から第１信号線Ｌ１を介して仮にウィンドウガラスを上昇動作させる信号が入力されても正常時制御を行わないようにすると共に、第２信号線Ｌ２を介してウィンドウガラスを下降動作させる操作信号が入力されたときにはウィンドウガラスを下降動作させるように駆動モータ３０を駆動する。これにより、制御装置２０に特別な防水対策を施さなくても、水没したときに、装置の誤動作やウィンドウの上昇動作を防止しつつ、ウィンドウの下降動作を適切に確保することができる。
【００３４】
特に、本パワーウィンドウ装置１００によれば、強制駆動回路を制御装置２０内に設けることで、水没時において、制御装置２０内の制御回路２２を介さずに、この強制駆動回路によってウィンドウガラスを下降動作させるように駆動モータ３０を直接駆動することができる。よって、たとえ水没時に制御回路２２が故障したとしても、装置の誤動作やウィンドウの上昇動作を防止しつつ、ウィンドウの下降動作を適切に確保することができる。また、手動で下降動作をさせるスイッチＳＷ２からの信号を他のスイッチＳＷ１、ＳＷ３、ＳＷ４からの信号とは別に専用の第２信号線Ｌ２を設けることにより、水没時のウィンドウの下降動作を確実なものとすることができる。
【００３５】
また、スイッチＳＷ１〜ＳＷ４が操作されたときに出力される操作信号の電圧値Ｖ１〜Ｖ４と、スイッチ水没検出回路１１が水の浸入を検出したときに出力されるスイッチ水没検出信号の電圧値Ｖ５とが異なるようにスイッチ装置１０を回路構成しているので、制御装置２０側でスイッチ装置１０の水没を適切に判別することができる。また、スイッチＳＷ２のオフ時の電圧値Ｖ６を他のスイッチＳＷ１、ＳＷ３、ＳＷ４のいずれの場合の電圧値よりも高くし、さらに、スイッチＳＷ２のオン時の電圧値Ｖ２を他のスイッチＳＷ１、ＳＷ３、ＳＷ４のいずれの場合の電圧値よりもさらに低くした（ほぼゼロとした）ことで、スイッチＳＷ２の操作により誤検知、誤動作を防止することができる。
【００３６】
また、スイッチ装置１０だけでなく、制御装置２０にも制御装置水没検出回路２１を設けているので、スイッチ装置１０および制御装置２０のどちらが先に水没しても、各々の水没を適切に検出することができる。よって、スイッチ装置１０および制御装置２０のどちらが先に水没しても、装置の誤動作やウィンドウの上昇動作を防止しつつ、ウィンドウの下降動作を適切に確保することができる。
【００３７】
次に、図２および図３を参照して、本実施形態によるパワーウィンドウ装置１００が水没したときの動作について具体的に説明する。
図２は、本実施形態によるパワーウィンドウ装置１００のスイッチ装置１０が先に水没したときの回路状態を示す図である。図２に示すように、スイッチ装置１０のスイッチ水没検出回路１１が水の浸入を検出したとき、つまりスイッチ水没検出回路１１内に浸入した水により２つのパッドが導通したとき、トランジスタＴＲ１がオンとなり、それによりトランジスタＴＲ２もオンとなる。その結果、抵抗Ｒ１１と抵抗Ｒ１２との間がグランドに接続されることとなる。こうしてトランジスタＴＲ２がオンになったときに（スイッチＳＷ１〜ＳＷ４はオフであるものとする）、上記した操作信号の電圧値Ｖ１〜Ｖ４とは異なる電圧値Ｖ５を有するスイッチ水没検出信号が、スイッチ装置１０から第１信号線Ｌ１を介して制御装置２０に出力される。
【００３８】
また、上記のようにトランジスタＴＲ２がオンになった状態では、スイッチＳＷ１、ＳＷ３、ＳＷ４をオンにしても、スイッチ装置１０から電圧値Ｖ１、Ｖ３、Ｖ４を有する操作信号は出力されず、スイッチ装置１０から電圧値Ｖ５を有するスイッチ水没検出信号が出力され続ける。スイッチＳＷ１、ＳＷ３、ＳＷ４をオンにしたときに形成される回路は、オンの状態にあるトランジスタＴＲ２により形成される回路と比較すると、抵抗Ｒ１２、Ｒ１３、Ｒ１４が付加された回路となっている。そのため、スイッチＳＷ１、ＳＷ３、ＳＷ４をオンにしても、スイッチＳＷ１、ＳＷ３、ＳＷ４を含む回路には電流が流れずに、トランジスタＴＲ２により形成される回路のほうに電流が流れるため、スイッチ装置１０から電圧値Ｖ５を有するスイッチ水没検出信号が出力され続けることになる。
【００３９】
一方、トランジスタＴＲ２がオンになった状態においても、スイッチＳＷ２をオンにした場合には、スイッチ装置１０から電圧値Ｖ２を有する操作信号が出力される。オンの状態にあるトランジスタＴＲ２により形成される回路は、スイッチＳＷ２をオンにしたときに形成される回路と比較すると、抵抗Ｒ１１が付加された回路となっている。そのため、スイッチＳＷ２をオンにすると、そのままスイッチＳＷ２を含む回路のほうに電流が流れて、スイッチ装置１０から電圧値Ｖ２を有する操作信号が出力されることになる。
【００４０】
次いで、制御装置２０の制御回路２２は、上記のようにしてスイッチ装置１０から電圧値Ｖ５を有するスイッチ水没検出信号が入力されたときに、端子Ｔ１から“Ｌ”を出力する（矢印ＴＬ１）。このときに、制御装置水没検出回路２１の出力値に拘らず、ＡＮＤ等価回路２４は“Ｌ”を出力するので、トランジスタＴＲ４はオンになり、その結果、矢印ＴＬ２に示すように、トランジスタＴＲ５のベースが“Ｈ”となるので、トランジスタＴＲ５もオンになる。この状態のときには、すなわち、スイッチＳＷ２がオフの時には電圧値Ｖ６が制御回路２２に入力されることになるので駆動モータ３０が駆動されることはない。そして、この状態においてスイッチＳＷ２がオンされた場合、第２信号線Ｌ２にはほぼゼロの電圧値Ｖ２が制御回路２２とモータ駆動回路２３に入力され、制御回路２２が機能している場合には制御回路２２がモータ駆動回路２３に対してウィンドウを下降動作させ、制御回路２２が機能していない場合であっても、モータ駆動回路２３は直接電圧値Ｖ２に近い電圧値を入力されることで、ウィンドウを下降動作させるように駆動モータ３０を駆動する。
【００４１】
次に、図３は、本実施形態によるパワーウィンドウ装置１００の制御装置２０が先に水没したときの回路状態を示す図である。図３に示すように、制御装置２０の制御装置水没検出回路２１は、自身内部への水の浸入を検出したときに、ＡＮＤ等価回路２４に“Ｌ”が入力される（矢印ＣＬ１）。ＡＮＤ等価回路２４は、制御回路２２の端子Ｔ１の状態に拘らず、“Ｌ”を出力するので、トランジスタＴＲ４はオンになり、その結果、矢印ＣＬ２に示すように、トランジスタＴＲ５のベースが“Ｈ”となるので、トランジスタＴＲ５もオンになる。
【００４２】
この状態において、スイッチ装置１０のスイッチＳＷ１、ＳＷ３、ＳＷ４が操作されても、制御回路２２は機能していないので、モータ駆動回路２３に入力されることはない。したがって、制御装置水没検出回路２１が水の浸入を一旦検出すると、その後にスイッチ装置１０から電圧値Ｖ１、Ｖ３、Ｖ４を有する操作信号が入力されても、上述したような通常時での操作信号に応じた制御（正常時制御）を行わない。また、この状態において、ウィンドウを下降動作させるためのスイッチＳＷ２が操作された場合、制御回路２２が機能していなくても、トランジスタＴＲ５を経由して直接モータ駆動回路２３にほぼゼロの電圧値Ｖ２が伝えられるので、ウィンドウを下降動作させるように駆動モータ３０は駆動される。
【００４３】
以上説明した本実施形態によれば、スイッチ装置１０と制御装置２０とが別体に構成されたパワーウィンドウ装置１００において、制御装置２０が、スイッチ装置１０のスイッチ水没検出回路１１からスイッチ水没検出信号が入力されたときに、電圧値Ｖ２以外は正常時制御を行わないようにし、スイッチ装置１０からウィンドウを下降動作させるための電圧値Ｖ２を有する操作信号が入力されたときに、ウィンドウガラスを下降動作させるように駆動モータ３０を駆動する。これにより、制御装置２０に特別な防水対策を施さなくても、水没時において、装置の誤動作やウィンドウの上昇動作を防止しつつ、ウィンドウの下降動作を適切に確保することができる。
【００４４】
特に、ＡＮＤ等価回路２４、トランジスタＴＲ４、トランジスタＴＲ５による強制駆動回路を制御装置２０内に構成することで、水没時において、制御装置２０内の制御回路２２を介さずに、この強制駆動回路によってウィンドウガラスを下降動作させるように駆動モータ３０を直接駆動することができる。よって、たとえ水没時に制御回路２２が故障したとしても、装置の誤動作やウィンドウの上昇動作を防止しつつ、ウィンドウの下降動作を適切に確保することができる。また、手動で下降動作をさせるスイッチＳＷ２からの信号を他のスイッチＳＷ１、ＳＷ３、ＳＷ４からの信号とは別に専用の第２信号線Ｌ２を設けることにより、水没時のウィンドウの下降動作を確実なものとすることができる。
【００４５】
また、スイッチＳＷ１〜ＳＷ４が操作されたときに出力される操作信号の電圧値Ｖ１〜Ｖ４と、スイッチ水没検出回路１１が水の浸入を検出したときに出力されるスイッチ水没検出信号の電圧値Ｖ５とが異なるようにスイッチ装置１０を回路構成しているので、制御装置２０側でスイッチ装置１０の水没を適切に判別することができる。また、スイッチＳＷ２のオフ時の電圧値（Ｖ６）を他のスイッチＳＷ１、ＳＷ３、ＳＷ４のいずれの場合の電圧値よりも高くし、さらに、スイッチＳＷ２のオン時の電圧値（Ｖ２）を他のスイッチＳＷ１、ＳＷ３、ＳＷ４のいずれの場合の電圧値よりもさらに低くした（ほぼゼロとした）ことで、スイッチＳＷ２の操作による誤検知、誤動作を防止することができる。
【００４６】
また、スイッチ装置１０だけでなく、制御装置２０にも制御装置水没検出回路２１を設けているので、スイッチ装置１０および制御装置２０のどちらが先に水没しても、各々の水没を適切に検出することができる。よって、スイッチ装置１０および制御装置２０のどちらが先に水没しても、装置の誤動作やウィンドウの上昇動作を防止しつつ、ウィンドウの下降動作を適切に確保することができる。
【００４７】
なお、本発明は、例示した実施例に限定するものではなく、特許請求の範囲の各項に記載された内容から逸脱しない範囲の構成による実施が可能である。すなわち、本発明は、主に特定の実施形態に関して特に図示され、かつ説明されているが、本発明の技術的思想および目的の範囲から逸脱することなく、以上述べた実施形態に対し、数量、その他の詳細な構成において、当業者が様々な変形を加えることができるものである。
【符号の説明】
【００４８】
１００    パワーウィンドウ装置
１０      スイッチ装置
１１      スイッチ水没検出回路
ＳＷ１〜ＳＷ４  スイッチ
２０      制御装置
２１      制御装置水没検出回路
２２      制御回路
２３      モータ駆動回路
２４      ＡＮＤ等価回路
Ｌ１      第１信号線
Ｌ２      第２信号線
３０      駆動モータ
【図１】
2019015115.tif 000003
【図２】
2019015115.tif 000004
【図３】
2019015115.tif 000005